(57)【要約】【課題】ロール巻状にあっても外部から正確な装飾柄を確認できる装飾用粘着テープを提供する。【解決手段】装飾用粘着テープ１は、装飾柄７が施された透明又は半透明のテープ基材２の裏面２Ｂに接着剤層３を形成して該裏面２Ｂを内側にしてロール巻状としたものである。そして、最外周のテープ基材２ａの裏面２Ｂ側には、少なくとも一周分の長さ範囲にわたって隠蔽シート５を配設して、該隠蔽シート５により内周側のテープ基材２の装飾柄７ａが透けて見えることなく最外周のテープ基材２ａに施された装飾柄７を外観可能に構成している。【選択図】図１
2015113428.tif 000002
【特許請求の範囲】
【請求項１】
装飾柄が施された透明又は半透明のテープ基材の裏面に接着剤層を形成して該裏面を内側にしてロール巻状とした装飾用粘着テープにおいて、
最外周のテープ基材の裏面側には、少なくとも一周分の長さ範囲にわたって隠蔽シートを配設して、該隠蔽シートにより内周側のテープ基材の装飾柄が透けて見えることなく最外周のテープ基材に施された装飾柄を外観可能に構成した装飾用粘着テープ。
【請求項２】
請求項１に記載の装飾用粘着テープにおいて、
上記隠蔽シートは、テープ基材裏面の接着剤層に剥離可能に貼り合わされている装飾用粘着テープ。
【請求項３】
請求項１又は２に記載の装飾用粘着テープにおいて、
上記テープ基材の最外周端部領域には、口取紙がテープ基材裏面に設けられ、
上記隠蔽シートと口取紙との間に接着剤層を露出させて内周側のテープ基材表面に仮着させる仮着部が設けられている装飾用粘着テープ。
【請求項４】
請求項１〜３のいずれか１項に記載の装飾用粘着テープにおいて、
上記テープ基材は、和紙で作製されている装飾用粘着テープ。
【発明の詳細な説明】
【技術分野】
【０００１】
本発明は、装飾柄が施されたテープ基材をロール巻状とした装飾用粘着テープに関する。
【背景技術】
【０００２】
図３に示すように、この種の装飾用粘着テープ１００は、花柄、動物柄等の各種の装飾柄７がテープ基材１０２に施されたものであり、封緘用、包装用等に使用するのみならず、デザインテープとして、ノート、手帳、手紙等の文房具類や各種の身の回り品等に貼り付けてデコレーションとしても使用される。
【先行技術文献】
【特許文献】
【０００３】
【特許文献１】特開２００２−１２１５１３号公報
【特許文献２】特開平８−８１６５７号公報
【発明の概要】
【発明が解決しようとする課題】
【０００４】
ところで、上記装飾用粘着テープ１００においてテープ基材１０２を和紙から作製して和紙特有の風合いを持たせたものがある。この装飾用粘着テープ１００は、和紙が半透明であるため、紙管４にロール巻状にあるときは、内周のテープ基材１０２の装飾柄７ａが外周のテープ基材１０２から透けて外周と内周の装飾柄７，７ａが重なり合って見える。そのため、使用前の新品状態、例えば販売時に、購入者は正確な装飾柄７を確認することができず、実際に物に貼って使用した時とは違った印象を持たせてしまうことが懸念される。なお、テープ基材１０２が和紙に限らず透明又は半透明の素材であれば、上記同様の懸念が生じる。
【０００５】
本発明は、以上の事情に鑑みて、ロール巻状にあっても外部から正確な装飾柄を確認できる装飾用粘着テープを提供することを目的とする。
【課題を解決するための手段】
【０００６】
本発明に係る装飾用粘着テープは、
装飾柄が施された透明又は半透明のテープ基材の裏面に接着剤層を形成して該裏面を内側にしてロール巻状とした装飾用粘着テープにおいて、
最外周のテープ基材の裏面側には、少なくとも一周分の長さ範囲にわたって隠蔽シートを配設して、該隠蔽シートにより内周側のテープ基材の装飾柄が透けて見えることなく最外周のテープ基材に施された装飾柄を外観可能に構成したものである。
これにより、ロール巻状にあっても最外周のテープ基材に施された正確な装飾柄を視認することができる。また、隠蔽シートによって装飾柄の色味等が鮮明に現れて正確に確認することができる。
【０００７】
上記隠蔽シートは、テープ基材裏面の接着剤層に剥離可能に貼り合わされていることが好ましく、これにより、最外周のテープ基材にあっても隠蔽シートを剥がして使用することができる。
【０００８】
上記テープ基材の最外周端部領域には、口取紙がテープ基材裏面に設けられ、
上記隠蔽シートと口取紙との間に接着剤層を露出させて内周側のテープ基材表面に仮着させる仮着部が設けられていることが好ましい。
これにより、口取紙によってテープ基材の始端を見つけ易く且つテープ基材を剥がし易くすることができる。また、仮着部によって最外周のテープ基材が解けずロール巻状に保持することができ、隠蔽シートを配設した最外周のテープ基材の装飾柄を外部から確実に視認させることができる。
【０００９】
上記テープ基材は、和紙で作製されていることが好ましく、和紙によって装飾柄に和紙の風合いを持たせることができ、また、この和紙の風合いとともに正確な装飾柄を上記隠蔽シートの介在によって確認することができる。
【発明の効果】
【００１０】
本発明に係る装飾用粘着テープによれば、最外周のテープ基材の裏面側に隠蔽シートを設けることにより、ロール巻状にあっても外部から正確な装飾柄を視認することができる。従って、販売時に、購入者に対して装飾柄のイメージを使用時と変わりなく正確に確認させることができる。
【図面の簡単な説明】
【００１１】
【図１】実施形態による装飾用粘着テープを示す図であり、同図（ａ）は最外周のテープ基材を解いた状態の側面図、同図（ｂ）は最外周のテープ基材の断面図である。
【図２】実施形態の装飾用粘着テープを示す斜視図である。
【図３】従来の装飾用粘着テープを示す斜視図である。
【発明を実施するための形態】
【００１２】
以下、本発明の実施形態について添付図面を参照しながら説明する。
図１、図２に示すように、実施形態の装飾用粘着テープ１は、装飾柄７が施された半透明のテープ基材２の裏面２Ｂに接着剤層３を形成して（図１（ｂ）参照）、該テープ基材２をその裏面２Ｂを内側に位置させて紙管４にロール状に巻き付けたものである。そして、このロール巻状の装飾用粘着テープ１は、最外周のテープ基材２ａの裏面２Ｂ側において少なくとも一周分の長さ範囲にわたって隠蔽シート５を配設して、該隠蔽シート５により内周側のテープ基材２の装飾柄７（図３に装飾柄７ａに相当）が透けて見えることなく最外周のテープ基材２ａに施された装飾柄７を外観可能に構成している。
【００１３】
テープ基材２は、和紙で作製され、半透明に形成されている。テープ基材２を和紙製とすることでテープ基材２に施した装飾柄７に和紙の風合いを持たせることができる。また、和紙は、プラスチックフィルムに比べ、使用時に容易に伸縮しない寸法安定性を有し装飾柄７の形を変形させないことから好ましい。装飾柄７は、図示した花柄に限らず、動物柄、キャラクター、図形、ロゴマーク、文字列、記号、数字等の各種の柄が用いられる。装飾柄７は、印刷によってテープ基材２の表面２Ａに施され、印刷方法は、例えば、オフセット印刷、グラビア印刷、スクリーン印刷等が使用できるが、これらに限らず、どのような印刷方法でもよい。装飾柄７は、テープ基材２の表面２Ａに印刷されるが、接着剤層３形成前のテープ基材２の裏面２Ｂに印刷されてもよい。装飾柄７をテープ基材２の表面２Ａに印刷した場合は装飾柄７を鮮明に表出させることができ、一方、装飾柄７をテープ基材２の裏面２Ｂに印刷した場合は半透明のテープ基材２を透過してテープ基材２の材質感を伴って淡く装飾柄７を表出させることができる。なお、文字や数字等をテープ基材２の裏面２Ｂに印刷する場合は反転印刷とする必要がある。
【００１４】
テープ基材２に用いる和紙は、例えば、天然繊維又は合成繊維を主成分とする機械抄きのものを使用することができる。和紙には、強度の向上、さらには装飾柄７の印刷インキや接着剤層３の接着剤の定着性向上並びに必要以上の含浸防止等のため、含浸剤を含有させたり表裏面にコート剤を塗布したものでもよい。また、和紙は、顔料等で着色されたり無着色のままのものでもよい。なお、テープ基材２は、和紙製に限らず、透明又は半透明の素材で作製することができ、例えば、グラシン紙等の和紙以外の紙材、織物や編物等の布材、不織布、プラスチックフィルム等で作製したものでもよい。また、テープ基材２は、帯状の長さ方向に対して略垂直に手でも切断できる素材を使用するのが好ましい。
【００１５】
接着剤層３は、図示しない被貼着物への貼り付け時に接着力を発揮するものであり、感圧接着剤が使用される。感圧接着剤は、例えば、アクリル系、シリコン系、ビニル系、合成ゴム系等の公知のものを使用でき、これを塗布等してテープ基材２の裏面２Ｂに形成される。感圧接着剤によりテープ基材２のロール巻状のときは内側のテープ基材２の表面２Ａに仮着されるが、ロール巻状での仮着を必要としない場合は接着剤層３としてホットメルト系接着剤を使用することができる。また、接着剤層３は、装飾柄７と混色しないよう無色の透明又は半透明であることが好ましいが、テープ基材２や装飾柄７に色味を付ける等のために有色の透明又は半透明であってもよい。
【００１６】
隠蔽シート５は、テープ基材２と同じ幅に形成され、最外周のテープ基材２ａの裏面２Ｂに接着剤層３によって貼り合わされる。隠蔽シート５は、例えば白色の紙のように不透明の各種の紙材が使用される。隠蔽シート５を紙材で構成すればテープ基材２の和紙と紙製同士で材質が共通し伸縮性に大きな違いが生じない等の点で好ましいが、これに限らず不透明のシート材であればプラスチック製や布製であってもよい。隠蔽シート５は、テープ基材２の最外周端部領域Ｓ付近から長さ方向へ一周分又は一周分より少し長い長さ範囲にわたって配設される。これにより、図２を参照して、隠蔽シート５によって内周側のテープ基材２が隠蔽され、内周側のテープ基材２の装飾柄（図３で示す装飾柄７ａ）が最外周のテープ基材２ａから透けて見えることがない。従って、ロール巻状の装飾用粘着テープ１において最外周のテープ基材２ａに施された装飾柄７がはっきり現れ、外部のどこから眺めても正確な装飾柄７を確認することができる。また、隠蔽シート５の白色によって装飾柄７やテープ基材２の色味も鮮明に現れて正確に確認することができる。このように、装飾用粘着テープ１によれば、最外周のテープ基材２ａの裏面２Ｂ側に隠蔽シート５を設けることにより、ロール巻状にあっても外部から正確な装飾柄７を確認することができる。従って、装飾用粘着テープ１が新品状態の販売時に、購入者には装飾柄７のイメージとして使用時と変わりなく正確な装飾柄７を確認してもうことができる。
【００１７】
隠蔽シート５の色として、白色であれば、多くの装飾柄７についてその形状や色等を鮮明に現わすことができ、また着色されたテープ基材２の色味等も明確に現わすことができるので好ましいが、白色に限らず黒色、銀色等のように隠蔽性を有する各種の色を採用することができる。例えば、被貼着物と同じ色を隠蔽シート５の色とすれば、使用時とほとんど変わりない装飾柄７の正確なイメージを購入時に確認することができる。
【００１８】
なお、隠蔽シート５は、裏面に感圧接着剤が形成されて内周側のテープ基材２の表面２Ａに仮着させる構成であってもよい。また、隠蔽シート５は、剥離紙で構成して剥離面をテープ基材２の裏面２Ｂの接着剤層３に貼り合わせるようにしてもよく、これにより、使用時に隠蔽シート５をテープ基材２から簡単に剥がすことができ、最外周のテープ基材２ａをその接着剤層３の接着力を損なわずに被貼着物に貼り付けることができる。
【００１９】
また、テープ基材２の最外周端部領域Ｓには、手で摘まめる程度の長さ（約５ｍｍ程度）の口取紙６がテープ基材２の裏面２Ｂの接着剤層３に貼り付けられており（図１参照）、この口取紙６によってテープ基材２の始端（最外周端部）２Ｃを見つけ易く且つ使い始めの際にテープ基材２の巻き解きを容易にすることができる。また、口取紙６と隠蔽シート５との間の少しの長さ範囲（約５ｍｍ程度）でテープ基材２の接着剤層３を露出させて内周側のテープ基材２の表面２Ａに仮着させる仮着部２１が設けられている（図１参照）。これにより、隠蔽シート５の裏面が接着力を有しない場合に仮着部２１によって最外周のテープ基材２ａが解けずロール巻状に保持でき、隠蔽シート５を配設した最外周のテープ基材２ａの正確な装飾柄７が外部から確実に視認されるようにすることができる。なお、仮着部２１では、隠蔽シート５が配設されないから外周と内周のテープ基材２の装飾柄７，７ａが重なり合って見えてしまうが、ロールの全周のうちの極僅かな範囲であるため、正確な装飾柄７を認識する上で何ら支障がない。
【００２０】
なお、本発明は、上記実施形態に限定されず、本発明の要旨の範囲で種々変更を施すことが可能である。
例えば、テープ基材２の最外周端部領域Ｓは、口取紙６を設けず接着剤層３を露出させて内周側のテープ基材２の表面２Ａに仮着させる仮着部として構成してもよい。
また、隠蔽シート５の裏面に感圧接着剤を形成する場合は、隠蔽シート５の一端部をテープ基材２の最外周端部２Ｃと一致させて配設してもよい。この場合、テープ基材２の最外周端部領域Ｓにおける隠蔽シート５の裏面の感圧接着剤に口取紙６を貼り付けたり、また該最外周端部領域Ｓにおける隠蔽シート５の感圧接着剤の接着力を喪失させたり感圧接着剤を形成しない等として口取紙６を設けたと同様の機能構成を持たせてもよい。
【符号の説明】
【００２１】
１  装飾用粘着テープ
２  テープ基材
２ａ  最外周のテープ基材
２Ａ  テープ基材の表面
２Ｂ  テープ基材の裏面
２Ｃ  テープ基材の始端（最外周端部）
３  接着剤層
５  隠蔽シート
６  口取紙
７  装飾柄
２１  仮着部
Ｓ  テープ基材の最外周端部領域
【図１】
2015113428.tif 000003
【図２】
2015113428.tif 000004
【図３】
2015113428.tif 000005